(57)【要約】本発明は、歯移植部位でのピックアップ印象採得のための改良されたシステム用の構成要素に関する。この構成要素は、橋脚歯、橋脚歯レプリカおよび印象コーピングを含む。本発明は、また、一連の橋脚歯、並びに橋脚歯および印象コーピングからなるセットにも関係する。印象コーピング（２０１）は、その歯冠端から根尖端まで延びている貫通路を有し、また、前記橋脚歯（１）を取り囲むための橋脚歯取り囲み領域（２０３）を含む。この橋脚歯取り囲み領域（２０３）は、歯冠端（２０６）、根尖端（２４０）および内壁面（２０７、２０８）を有し、前記内壁面（２０７、２０８）は、前記橋脚歯（１）と接触できる少なくとも１つの橋脚歯接触面（２４３）と、前記橋脚歯（１）との間にスペースを設けるために、前記橋脚歯から隔たって位置する、少なくとも１つのスペース形成面（２４４）とを含む。【選択図】図７ｂ
2005507283.tif 000002
【特許請求の範囲】
【請求項１】
歯科用インプラントに取り付けた橋脚歯（１）のピックアップ印象採得のための印象コーピング（２０１）であって、この印象コーピング（２０１）が、その歯冠端から根尖端まで延びている貫通路を有し、そして、前記橋脚歯（１）を取り囲む橋脚歯取り囲み領域（２０３）を含み、前記橋脚歯取り囲み領域（２０３）が、歯冠端（２０６）、根尖端（２４０）および内壁面（２０７、２０８）を有し、前記内壁面（２０７、２０８）が、前記橋脚歯（１）と接触するための少なくとも１つの橋脚歯接触面（２４３）、および、前記橋脚歯（１）との間にスペースを設けるために、前記橋脚歯から隔たっている、少なくとも１つのスペース形成面（２４４）を含み、前記橋脚歯取り囲み領域（２０３）の横断面において、前記印象コーピングの長手軸線（Ｌ）から前記橋脚歯接触面（２４３）までの距離（ｒ１）が、前記長手軸線（Ｌ）から前記スペース形成面（２４４）までの距離（ｒ２）より短くなっている印象コーピング（２０１）。
【請求項２】
前記スペース形成面（２４４）が、空気および／または印象材の通過できる通気孔（２４５）を備えている、請求項１に記載の印象コーピング（２０１）。
【請求項３】
前記橋脚歯取り囲み領域（２０３）が、内壁面（２０７）を有する肩部接触部分（２０４）と、この前記肩部接触部分（２０４）から歯冠方向へ延びており、前記肩部接触部分（２０４）の前記内壁面（２０７）と１８０度より大きい角度（α）をなす内壁面（２０８）を備えているポスト接触部分（２０５）とを含み、前記スペース形成面（２４４）および前記橋脚歯接触面（２４３）が、前記ポスト部分（２０５）の内壁面（２０８）に設けてある、請求項１または２に記載の印象コーピング（２０１）。
【請求項４】
少なくとも１つの橋脚歯接触面（２４３）が、歯冠方向において内向きにテーパが付けてある、請求項１〜３のいずれか１項に記載の印象コーピング（２０１）。
【請求項５】
前記少なくとも１つの橋脚歯接触面（２４３）が、前記印象コーピングの長手軸線と２０度未満、好ましくは、１５度未満、最も好ましくは、６度のテーパ角をなす、請求項４に記載の印象コーピング（２０１）。
【請求項６】
少なくとも１つの橋脚歯接触面（２４３）が、前記橋脚歯（１）上に前記印象コーピング（２０１）を回転ロックするための回転ロック手段（２１５）を備えている、請求項１〜５のいずれか１項に記載の印象コーピング（２０１）。
【請求項７】
前記回転ロック手段（２１５）が、前記橋脚歯接触面（２４３）の平らな部分によって形成されている、請求項６に記載の印象コーピング（２０１）。
【請求項８】
互いに向かい合わせて配置した少なくとも２つの橋脚歯接触面（２４３）と、同様に互いに向かい合わせて、前記橋脚歯接触面（２４３）間に配置した２つのスペース形成面（２４４）とを有する、請求項１〜７のいずれか１項に記載の印象コーピング（２０１）。
【請求項９】
印象材内へ延びるように前記橋脚歯取り囲み領域（２０３）の歯冠方向に設けた拡張領域（２４１）を有する、請求項１〜８のいずれか１項に記載の印象コーピング（２０１）。
【請求項１０】
前記拡張領域（２４１）が、印象材内に印象コーピング（２０１）を保持するための保持要素（２４２）を備えている、請求項９に記載の印象コーピング（２０１）。
【請求項１１】
請求項１〜１０のいずれか１項に記載の印象コーピング（２０１）であって、さらに、
前記橋脚歯に関して前記印象コーピングを１次置換させることによって前記橋脚歯（１）と取り外し自在に係合させることができるように配置した橋脚歯係合部（２０９）を備え、この橋脚歯係合部が、少なくとも１つのスペース形成面（２４４）の根尖方向に設けてある、印象コーピング（２０１）。
【請求項１２】
前記橋脚歯係合部（２０９）が、橋脚歯取り囲み領域（２０３）の歯冠端（２０６）よりも肩部接触部分（２０４）に近い位置でポスト接触部分（２０５）に設けてある、請求項３に従属したときの請求項１１に記載の印象コーピング。
【請求項１３】
インプラントに歯科用構成要素を連結する橋脚歯（１）を含むセットであり、この橋脚歯（１）が、インプラント接触領域（２）、構成要素支持領域（３）、および、歯科用インプラントに取り付けられたときに前記橋脚歯（１）のピックアップ印象を採得するための印象コーピング（２０１）を含み、この印象コーピング（２０１）が、その歯冠端から根尖端まで延びている貫通路を有し、そして、前記橋脚歯（１）を取り囲む橋脚歯取り囲み領域（２０３）を含み、前記橋脚歯取り囲み領域（２０３）の内壁面（２０７、２０８）が、前記橋脚歯（１）と接触するための少なくとも１つの橋脚歯接触面（２４３）、および、前記内壁面（２０７、２０８）と前記橋脚歯（１）との間に場合により印象材を含むスペースを設けるために、前記橋脚歯（１）から隔たっている少なくとも１つのスペース形成面（２４４）を含むセット。
【請求項１４】
前記橋脚歯（１）が、前記印象コーピング（２０１）の前記橋脚歯接触部分（２０３）の最大外径より大きいか、またはこれに等しい最大直径部（Ａ）を有する、請求項１３に記載のセット。
【請求項１５】
橋脚歯（１）の構成要素支持領域（３）を模写する構成要素支持領域（１０３）と、根尖端を有する根尖方向領域（１０２）とを含み、ここで、ボア（１３０）が、前記根尖端から橋脚歯レプリカ（１０１）内へ、少なくとも前記構成要素支持領域（１０３）内の位置まで延びている橋脚歯レプリカ（１０１）。
【請求項１６】
請求項１５に記載の橋脚歯レプリカ（１０１）であって、さらに、歯科用構成要素に連結するための橋脚歯係合手段（１０９）を備え、前記ボア（１３０）が、前記根尖端から橋脚歯レプリカ（１０１）内へ、少なくとも前記橋脚歯係合手段（１０９）の歯冠方向の位置まで延びている、橋脚歯レプリカ。
【請求項１７】
前記ボア（１３０）が、前記位置で終わっている盲孔である、請求項１５または１６のいずれか１項に記載の橋脚歯レプリカ（１０１）。
【請求項１８】
前記構成要素支持領域（１０３）の一部を切り取るレベルを示すマーキング（１２０）を備えている、請求項１５〜１７のいずれか１項に記載の橋脚歯レプリカ（１０１）。
【請求項１９】
前記マーキングが、前記橋脚歯係合手段（１０９）の歯冠方向に設けてある、請求項１８および１６に記載の橋脚歯レプリカ。
【請求項２０】
歯冠方向橋脚歯端（６）を有する橋脚歯（１）、および歯冠方向レプリカ端（１０６）を有する対応するレプリカ（１０１）からなるセットであって、前記橋脚歯（１）が、歯冠方向橋脚歯端（６）からの第１の距離のところに、橋脚歯（１）の場合により短縮のためのマーキングを備えており、前記レプリカ（１０１）が、前記第１の距離に等しいか、またはこれより短い歯冠方向レプリカ端（１０６）からの第２の距離のところにマーキングを備えているセット。
【請求項２１】
前記レプリカ（１０１）および橋脚歯（１）が、各々、いくつかのマーキングを備えている、請求項２０に記載のセット。
【請求項２２】
修正した標準の橋脚歯の作業模型を作る方法であって、以下、
- 骨組織に移植したインプラントに固定した前記修正橋脚歯に印象コーピングを取り付け、前記印象コーピングの内面の一部が、前記修正橋脚歯と接触し、前記内面の一部が、前記修正橋脚歯から隔たって、前記内壁面と前記修正橋脚歯との間にスペースを形成するようにし、
- 前記スペースに印象材を挿入し、前記印象材が前記内面の一部と共に、前記修正橋脚歯の形状を取り込む、
の段階からなる方法。
【請求項２３】
修正した標準の橋脚歯の作業模型を作る方法であり、以下、
- 印象材に埋め込んだ印象コーピングを有するインプラント部位、および修正橋脚歯に対応する前記印象コーピング内のオープンスペースの印象を取り、
- 標準の橋脚歯レプリカの歯冠方向部分を切り取り、貫通孔を有する橋脚歯レプリカの残りの部分を得、この貫通孔は該部分を貫いて延びており、
- 前記印象コーピングに前記橋脚歯レプリカの前記残りの部分を取り付け、
- 印象材内の修正橋脚歯に対応するオープンスペース内へ前記貫通孔を通して型材料を注入する、
の段階からなる方法。
【請求項２４】
修正した標準の橋脚歯の作業模型を作る方法であり、以下、
- 骨組織に移植したインプラントに固定した前記修正橋脚歯に印象コーピングを取り付け、
- 前記印象コーピングに印象材を挿入して、前記印象コーピング内に前記修正橋脚歯に対応するオープンスペースを形成し、
- 前記インプラントの部位のまわりに印象材を加えて印象コーピングを埋め込み、
- 印象材を取り出し、これにより前記印象コーピングを印象材と共に取り出し、
- 標準の橋脚歯レプリカの歯冠方向部分を切り取り、貫通孔を有する橋脚歯レプリカの残りの部分を得、この貫通孔は該部分を貫いて延びており、
- 前記橋脚歯レプリカの前記残りの部分を前記印象コーピングに取り付け、
- 印象材内の修正橋脚歯に対応するオープンスペース内に、前記貫通孔を通して型材料を注入し、
- 印象材全体のまわりに型材料を加えて作業模型を作り出す、
の段階からなる方法。
【発明の詳細な説明】
【技術分野】
【０００１】
本発明は、歯移植部位でのピックアップ印象採得のための改良したシステム用の構成要素であって、橋脚歯、橋脚歯レプリカおよび印象コーピングを含む構成要素に関する。本発明は、また、一連の橋脚歯、並びに橋脚歯および印象コーピングからなるセットに関する。
【背景技術】
【０００２】
損傷した自然歯や抜けた自然歯を補填するために歯科インプラント・システムが広く用いられている。このようなシステムにおいて、インプラントが患者の顎内に設置されて自然歯の歯根の代わりとなる。次に、１つまたはいくつかの部分からなる橋脚歯構造をインプラントに取り付けて、骨組織から柔らかい歯茎組織を通して患者の口中に突き出る人工歯部分のコアを構築できる。最終的に、前記橋脚歯上に、義歯または歯冠を着座させることができる。
【０００３】
最終的な義歯は、機能上でも美観上でも患者の残っている歯と自然に適合するような寸法、形状でなければならない。このために、歯科技工士は、個々の患者の顎の模型を使ってその患者に正しく合った義歯を試してみる必要がある。模型は、インプラントと、おそらく橋脚歯構造とを含む。このような模型を得るためには、いわゆる作業模型作製技術が用いられる。
【０００４】
このような模型作製技術の１つのカテゴリは、いわゆる「ピックアップ」法である。ピックアップ法は、順次に以下の段階を経て行われ得る。
【０００５】
印象キャップをインプラントおよび／または橋脚歯上に置く。
印象材を顎にあてがい、前記印象キャップを印象材内に埋め込む。
印象材を顎から外し、印象材に埋め込まれたままで印象キャップを取り出す。こうして、印象材が顎の反転形態となり、インプラント／橋脚歯の部位に印象キャップがあることになる。
【０００６】
当初のインプラントおよび／または橋脚歯を印象キャップに連結したように、同じ要領で、インプラントおよび／または橋脚歯の形状を複製するレプリカを埋め込まれた状態の印象キャップに挿入する。
【０００７】
次に、印象材から作った顎の反転形態内へ、そして、レプリカのまわりに成形材料を注入し、硬化させる。
【０００８】
印象材を硬化した成形材料から取り出す。こうして、この成形材料は、当初のインプラント／橋脚歯と置き換わるレプリカを有する顎の真の、すなわち、非反転模型を形成する。
【０００９】
以下、ピックアップ法またはそれに用いるようになっている構成要素を記載しているいくつかの先行技術文献を参照する。
【００１０】
米国特許第６０６８４７８号（Grande等）が、人体に装着されるインプラント（可能性のある上部構造を含む）の、人体組織構造から突出する端部を作業模型に転写するための印象キャップを含む印象システムを開示している。外側に向いたインプラント端は、その外面にアンダカットされた輪郭を有し、そして、印象キャップは、このアンダカット輪郭を補完し、係合する形状寸法を有する。アンダカット輪郭は、インプラント床に向かってトランペット形に先細りとなっているインプラント幾何学形状か、または、インプラント端部付近にあるくぼみかのいずれかによって形成される。
【００１１】
前記米国特許第６０６８４７８号（Grande等）には、上部構造の橋脚歯がインプラント肩部上方へ突出するように上部構造の一部をインプラントに螺合させることが記載されている。完成した作業模型に合わせて口腔状況の印象を採取するために、まず、スライド・スリーブを円錐形の上部構造上に押しつける。次いで、印象キャップをスライド・スリーブ上へ押しつける。印象キャップの底部には、インプラント肩部に対して相補的であるキャップ肩部がある。キャップ肩部の外面は、内向きの弾力的なスナップ要素によって囲まれており、インプラントにスナップ嵌合し、インプラント頭部にアンダカット輪郭を取り外し自在に把持する。次に、印象化合物を満たした印象トレイを移植部位へ押しつける。印象トレイを抜き取った後に、印象キャップおよびスライド・スリーブが印象化合物内に埋め込まれて残り、印象を得ることができる。次に、円錐形の上部構造に対応する形状を有する類似した操作インプラントをスライド・スリーブ内に押し込む。最後に、操作肩部が印象キャップのスナップ要素により保持されるまでインプラント肩部に対応する操作肩部を有する操作肩部スリーブを操作インプラントにかぶせて押しつける。最終的に、模型作製用化合物を印象上に注入し、作業模型を得る。
【００１２】
前記米国特許第 ６０６８４７８号（Grande等）では、別のタイプの上部構造、たとえば、角度付き上部構造をインプラントに取り付ける場合には、別の印象方法を使用する。この場合、印象シリンダを上部構造へ螺合させてから、側方に開口する印象キャップを上部構造に押しつけ、インプラント肩部を把持する。印象化合物で満たした印象トレイを使用して印象を採取する。この印象は、印象トレイを引き抜いた後に得られる。印象キャップおよび印象シリンダおよび円錐形上部構造に類似する中空スペースが後に残る。次の段階で、印象シリンダをその中空スペース空間に押し込み、操作肩部スリーブを取り付け、操作肩部スリーブを通して模型作製用化合物を注入し、中空スペース全体を満たす。ここで、模型作製用化合物を印象上に注ぎ、印象シリンダを残して印象トレイを取り出した後、完成した作業模型を得る。
【００１３】
さらに、中空スペースが印象キャップ内に残っており、印象キャップ内部で選択された橋脚歯によって残された中空空間を印象化合物で満たす場合には、スライド・スリーブを省略できると記載されている。また、スライド・スリーブおよび印象キャップは、一体片として結合し、設計してもよい。
【００１４】
米国特許第６１５９０１０（Rogers等）が、歯科用インプラントに取り付け、その上方に突き出る橋脚歯ポストを覆って配置するための歯科用コーピングを開示している。このコーピングは、インプラントの支持面と係合する内向きにテーパの付いた表面を有する基部を含む。基部から離れる方向に壁が延びていて橋脚歯ポストを取り囲んでいる。この壁は少なくとも１つの孔を有し、移植部位の印象を採取するときにこの孔を通してワックス材を流入させることができるようになっている。
【００１５】
米国特許第５６８８１２３号（Meiers等）が、作業模型を形成するために印象を採取するときに使用する歯科用インプラント用の転写キャップを開示している。この転写キャップは、インプラントの組み立て部分に形状、寸法で適合しており、この組み立て部分の円錐形領域の肩部上を延びる１つまたはそれ以上の弾性フラップを担持している。
【００１６】
ＷＯ９９／２９２５５（Morgan）が、環状溝のような保持手段を形成したヘッド部分を有する橋脚歯類似物を開示している。
ＥＰ０１９０６７０（Lustig）が、ポストに入れ子式に係合させる組み立て式スリーブ状コーピングと組み合わせて使用できる組み立て式橋脚歯を開示している。
【発明の開示】
【発明が解決しようとする課題】
【００１７】
本発明の目的は、ピックアップ印象方法を使用するときの機能を改良したシステム用の構成要素およびこれらの構成要素を使用する方法を提供することにある。
【課題を解決するための手段】
【００１８】
本発明の第１態様によれば、歯科用インプラントに取り付けた橋脚歯のピックアップ印象採得のための印象コーピングであり、その根尖端から歯冠端までの貫通路を有する印象コーピングが提供される。この印象コーピングは、前記橋脚歯を取り囲むための橋脚歯取り囲み領域を含み、この前記橋脚歯取り囲み領域は、根尖端および歯冠端および内壁を有し、この内壁は、前記橋脚歯と接触する少なくとも１つの橋脚歯接触面、および、スペース形成面と前記橋脚歯との間にスペースを設けるために、前記橋脚歯から隔たっている少なくとも１つのスペース形成面を含む。前記橋脚歯取り囲み領域の横断面において、前記長手軸線から前記橋脚歯接触面までの距離は、前記長手軸線から前記スペース形成面までの距離より短い。
【００１９】
本願を通じて使用する「歯冠」という用語は、ここで論議している構成要素のヘッド端または後端に向かう方向を示すのに用いられる。たとえば、橋脚歯がインプラントに連結された状況では、歯冠方向とは、インプラントから離れる方向に向いた橋脚歯部分に向かう方向である。同様に、「根尖」という用語は、構成要素の挿入端部に向かう方向を示す。インプラントと連結した橋脚歯の場合、根尖方向とは、インプラントに向かう方向となる。したがって、根尖方向および歯冠方向は、互いに反対方向である。
【００２０】
しかしながら、構成要素またはシステムの部分が互いに関して傾斜している場合には、異なった部分の根尖方向、歯冠方向が、それぞれ、一致しないこともあり得る。たとえば、橋脚歯の構成要素支持領域がインプラント接触領域に関して傾斜している場合、いわゆる傾斜橋脚歯の場合がそうである。本願においては、構成要素支持領域の根尖方向に言及しているときには、構成要素支持領域の最大直径部に向かう方向を言っている。構成要素支持領域の歯冠方向とは、前記最大直径部から離れる方向、構成要素支持領域の自由端に向かう方向である。
【００２１】
好ましくは、印象コーピングは、印象コーピングの歯冠端から根尖端まで延びている貫通路を有する。これは、印象材を、歯冠端を通して印象コーピング内に導入でき、したがって、印象材内での印象コーピングの固定力を増大させることができるので、有利である。印象コーピングに導入された印象材は、橋脚歯の一部と接触することになり、したがって、前記橋脚歯部分を模写するオープンスペースを提供することになる。このオープンスペースは、橋脚歯レプリカを後に導入するときの案内として使用してもよいし、本明細書の詳細な部分において後に説明するように、特注製作した橋脚歯の模型を形成する型として使用してもよい。
【００２２】
さらに、印象材は、前記スペース形成面と前記橋脚歯との間の前記スペース内に導入してもよい。しかしながら、橋脚歯接触面もまた存在し、これが橋脚歯と接触し、したがって、安定した接触面を与える。
【００２３】
標準の橋脚歯の印象を採取するとき、橋脚歯接触面は標準の橋脚歯と接触することになる。印象材は、場合により、スペース形成面により形成されたスペース内へ導入してもよいが、これは必ずしも必要ではない。橋脚歯が印象コーピング内部にあるので、橋脚歯接触面は、通常は、橋脚歯レプリカを後に同じ位置へ正確に挿入するときにそれを案内するのに充分な表面を提供することになる。
【００２４】
しかしながら、修正橋脚歯の印象を採取するときには、おそらく橋脚歯接触面のすべてが修正橋脚歯と接触することはない。橋脚歯接触面の少なくとも一部は、おそらく、その修正形状の故に、特注製作した橋脚歯と接触することはない。この場合、橋脚歯と印象コーピングの内壁面との間に複合スペースが形成される。この複合スペースは、橋脚歯接触面と修正橋脚歯との間に作り出されたスペース、および、前記スペース成形面と前記橋脚歯との間の前記スペースによって構成される。印象材は、印象コーピング内へ、そして、前記印象コーピングと修正橋脚歯との間に形成された複合スペース内へ導入できる。したがって、橋脚歯から取り出すとき、印象材は、印象コーピングと共に、修正橋脚歯の形状に一致する内側「修正」形状を有する空のスペースを形成することになる。次に、この内側形状を用いて前記修正橋脚歯の模型を成形する。
【００２５】
好ましくは、前記スペース形成面は、前記複合スペースから空気を抜くための通気孔を備えているとよい。こうすれば、印象材を前記複合スペースに導入したとき、空気は、前記スペース形成面と前記橋脚歯との間に形成されたスペースを通り、通気孔を通って流出できる。それによって、気泡発生を避け、印象材の適切な導入を確実に行うことができる。こうして、スペース形成面が、前記複合スペースから空気を排出させるためのエアダクトを与える。
【００２６】
この通気孔は、スペース形成面に設けた開口、またはおそらくは、パーホレーションまたは他の適切な通気手段によって、得ることができる。
【００２７】
橋脚歯接触面のすべてがなお修正橋脚歯と接触しているように橋脚歯を修正してもよいのは当然であるが、その場合、複合スペースはスペース形成面だけに関係する。前記複合スペースを印象材で満たす必要がある程度は、橋脚歯について行った修正に依存する。しかしながら、完全な充填は、通常、複合スペース全体に印象材を満たすこと、そして、印象材を前記通気孔から流出させることによって、確実に行うことができる。
【００２８】
少なくとも１つの橋脚歯接触面が、歯冠方向において内向きにテーパ付きであると有利である。印象コーピングをテーパ付き外形を有する橋脚歯上に着座させるとき、これは特に役立つ。
【００２９】
したがって、印象コーピングは、標準の橋脚歯および修正した標準の橋脚歯の両方の印象を採取するのに役立つ。これは、標準の状況および特注製作状況に合わせて異なった構成要素がしばしば使用される従来技術よりも有利である。
【００３０】
前記印象コーピングの第１の変形例においては、印象コーピングの橋脚歯取り囲み領域は、内壁面を有する肩部接触部分と、この肩部接触部分から歯冠方向へ延びているポスト取り囲み部分とを含み、このポスト取り囲み部分は、前記肩部接触部分の前記内壁面と１８０度より大きい角度をなす内壁面を備える。
【００３１】
肩部接触部分は、対応する橋脚歯の肩部分と接触することを意図している。したがって、前記肩部接触部分の内壁面に対する法線の、構成要素取り囲み領域の長手軸線への投影は、根尖方向に延びることになる。
【００３２】
ポスト取り囲み部分は、さまざまな形状を有する内壁面を有し得る。ポスト取り囲み部分は、内壁面全体が橋脚歯のポスト部分と接触するように形成してもよい。しかしながら、ポスト取り囲み部分は、また、前記内壁面の一部とのみ橋脚歯のポスト部分を接触させるように形成してもよい。このような実施例のいくつかを以下に説明する。
【００３３】
さらに、肩部接触部分は、前記橋脚歯との相互作用において接触性および安定性を向上させるのに役立つ。これは、印象コーピングをピックアップ印象方法で使用するときに特に重要であり、その場合、印象コーピングは、まず、インプラントに固定されている橋脚歯に取り付けられ、その後、印象材に埋め込まれ、前記印象材と共に橋脚歯から取り出され、最後に、橋脚歯レプリカが前記印象コーピング内に挿入されることになる。この方法を成功させるためには、橋脚歯および橋脚歯レプリカは、共に、精度良く印象コーピング内に固着できなければならない。これには、前記肩部接触部分が貢献する。
【００３４】
また、肩部接触部分およびポスト接触面の組み合わせは、印象コーピングが橋脚歯上に確実に正しく設置される可能性を与える。従来技術システムのいくつかにおいては、橋脚歯接触面なしで肩部接触部分およびポスト取り囲み部分のみを有する印象キャップが提供されている。しかしながら、このような従来の印象キャップは、橋脚歯に誤って設置される危険がある。
【００３５】
本発明の第１態様の前記第１変形例の一実施例によれば、印象コーピングは、さらに、少なくとも１つのスペース形成面の根尖方向に設けた取り外し自在の橋脚歯係合手段を備える。好ましくは、前記橋脚歯係合手段は、橋脚歯取り囲み部分の歯冠端よりも肩部接触部分に近い位置でポスト接触部分のところに設けてある。
【００３６】
前記の印象コーピングの実施例において、肩部接触部分から延びているポスト接触部分の内壁面上に橋脚歯係合手段を設けることにより、橋脚歯の肩部分のところでの直径と比較して、印象コーピングを着座させようとしている橋脚歯の直径が比較的小さいところにロック手段が位置することになる。したがって、ロック手段のこの位置により、前記橋脚歯の最大直径部を越えてロック手段のところでの印象コーピングの外径を大きくする必要なしに、より多くのロック手段構造変形例を使用できる。
【００３７】
印象コーピングの外径が小さいと有利である。大きな直径を有する場合、橋脚歯、または印象キャップがセットされたインプラントを取り囲んでいる粘膜を押しのけ、損傷を与える危険がある。さらに、印象キャップの直径が大きいと、インプラントに隣接する歯と衝突することなく構成要素を着脱することが難しくなる。隣り合った歯が非常に接近している場合、構成要素の直径は、構成要素が橋脚歯上にセットしようとしているこれらの歯の間を通過するには大すぎるかもしれない。しかしながら、上記で開示される配置はこれらの問題を軽減する。
【００３８】
従来技術システムにおいては、フラップのようなロック手段が、橋脚歯を覆って、または、そのまわりに係合するように印象キャップの端に設けられることがある。これらの構造においては、ロック手段が、印象キャップの外径を拡大させることになり、橋脚歯を取り囲んでいる柔らかい歯肉組織を不必要に圧迫することになる。さらに、印象キャップの端にロック手段を設置することで、しばしば、患者の歯肉組織内の下方、低いレベルにキャップが取り付けられることになる。
【００３９】
他の従来のシステムにおいては、印象キャップの歯冠端付近にロック手段が設けられる。これらのシステムは、印象キャップをその後も橋脚歯に取り付けられるようにしなければならない場合は、印象キャップを着座させる橋脚歯は前記歯冠端より下方で修正することはできないという欠点を有する。
【００４０】
橋脚歯係合手段は、前記ポスト接触部分と前記肩部接触部分との間の移行部に設けてもよい。さらに、橋脚歯係合手段は、前記橋脚歯取り囲み領域の内壁面において、少なくとも１つの突起またはくぼみ（たとえば、リブまたは溝）を含み得る。
【００４１】
少なくとも１つの橋脚歯接触面が、前記橋脚歯上に前記印象コーピングを回転ロックするために回転ロック手段を備えていてもよい。この特徴は、インプラントに固定された橋脚歯の回転方向を、印象採得を経て作業模型に、適切に転写することを確実に行うのに役立つ。
【００４２】
印象材への取り付けを強化するために、印象コーピングが、橋脚歯取り囲み領域の歯冠方向へ延びる領域を備えていてもよい。このような拡張領域は、また、印象コーピングの取り扱いを容易にもする。前記拡張領域は、さらに、印象材内に印象コーピングを保持するための保持要素を備えていてもよい。
【００４３】
本発明の第２態様によれば、上記のような橋脚歯および印象コーピングを含むセットを得ることができる。
【００４４】
本発明の第３態様においては、橋脚歯の構成要素取り囲み領域を模写する構成要素支持部分と、根尖端を有する根尖方向領域とを含み、ボアは、前記根尖端から橋脚歯レプリカ内へ、少なくとも前記構成要素支持領域と同じ位置まで延びている橋脚歯レプリカが提供される。
【００４５】
このレプリカは、構成要素支持領域の少なくとも一部を切り取り、根尖方向領域、および、おそらくは、支持領域の一部を含むレプリカを残し、貫通口を設けることができるという利点を有する。この可能性は、修正橋脚歯の作業模型を作るときに使用される。これについては、本明細書の特別な部分でより詳しく説明する。この実施例によるレプリカは、橋脚歯をその標準的な外観（その最初の状態）で残す状況、また、橋脚歯を（切り取り状態で）修正する状況の両方に対して使用できるので、有利である。
【００４６】
このようにして、橋脚歯レプリカは、橋脚歯がその標準外観で残るという状況、橋脚歯を修正するという状況の両方にとって印象コーピングが有用であるから、本発明の第１態様による印象コーピングと共に使用するのに特に有利である。
【００４７】
橋脚歯レプリカの実施例においては、さらに、歯科用構成要素に連結する橋脚歯係合手段が設けられ、ボアは、前記根尖端から橋脚歯レプリカ内へ、少なくとも前記橋脚歯係合手段の歯冠方向の位置まで延びる。
【００４８】
したがって、ロック手段の歯冠方向へ延びている構成要素支持領域の一部を切り取り、橋脚歯レプリカの残りの部分全体を貫いて延びるボアを設けることができる。この場合も、橋脚歯係合手段をそのままにしておくことができる。
【００４９】
本発明の第４態様においては、歯冠方向橋脚歯端を有する橋脚歯と、歯冠方向レプリカ端を有する対応するレプリカとを含むセットが提供され、この橋脚歯は、歯冠方向橋脚歯端から第１の距離のところで橋脚歯を場合により短縮するためのマーキングを備えており、ここで前記レプリカは、前記第１の距離に等しいか、またはこれより短い歯冠方向レプリカ端からの第２の距離のところにマーキングを備える。
【００５０】
本発明の前記第４態様によって提案したマーキングは、さらに、システムを簡単に修正する可能性を増大させるのに使用できる。より短い標準の橋脚歯を望む場合、標準の橋脚歯をマーキングのところで切り取ることができる。以降の模型製作で使用されるレプリカは、橋脚歯のマーキングと橋脚歯の歯冠端との間の距離に等しいか、またはこれより短いレプリカの歯冠端からの距離のところに対応するマーキングを有する。前記マーキングのところでレプリカを切り取った後、切り取り橋脚歯の高さに等しいか、またはこれより高い高さを有する切り取りレプリカを得ることができる。この模型において、適当な義歯をレプリカ上に構築した後、切り取り橋脚歯に転写し、取り付ける。橋脚歯上に義歯を確実に装着するには、橋脚歯に義歯をロックする。このロックは、レプリカへの義歯のロックと同じ方法で行われることになる。橋脚歯とレプリカの間の高さの差により義歯と橋脚歯との間に現れるいかなるオープンスペースも、充填材料で満たすことができる。
【００５１】
本発明の第５態様においては、標準、修正両方の橋脚歯の印象を採取するのに適した構成要素を使用して、修正した標準の橋脚歯の作業模型を作る簡略化した方法が提供される。
【００５２】
本発明のさらなる適用範囲は、以下に示す詳細な説明から明らかとなろう。しかしながら、この詳細な説明および特別な実施例は、本発明の好ましい実施態様を示してはいるが、ほんの例示のために提供するものであることは理解されるべきであり、本発明の精神および範囲内のさまざまな変更および修正がこの詳細な説明から当業者にとって明らかとなるであろう。
【００５３】
本発明は、ほんの例示のためのものであって、発明の限定を意図していない以下の詳細な説明および添付図面からより充分に理解して貰えよう。
【００５４】
図１ａ〜１ｅは、橋脚歯の第１実施例を示す。
図２ａ〜２ｂは、橋脚歯の第２実施例を示す。
図３は、橋脚歯の第３実施例を示す。
図４は、橋脚歯の第４実施例を示す。
図５ａ〜５ｈは、一連の橋脚歯の実施例を示す。
図６ａ〜６ｂは、橋脚歯レプリカの実施例を示す。
図７ａ〜７ｆは、印象コーピングの実施例を示す。
図８ａ〜８ｂは、歯科用インプラントに取り付けた橋脚歯の実施例を示すと共に、前記橋脚歯に取り付けた印象コーピングの実施例を示す。
図９ａ〜９ｂは、橋脚歯キャリアの実施例を示す。
図１０ａ〜１０ｈは、標準の橋脚歯のピックアップ印象採得方法を示す。
図１１ａ〜１１ｈは、修正した標準の橋脚歯のピックアップ印象採得方法を示す。
【実施例】
【００５５】
図１ａは、橋脚歯の第１実施例の斜視図であり、図１ｂ〜１ｅは、図１ａと同じ橋脚歯の側面図である。
【００５６】
まず図１ａおよび１ｂを参照して、ここには、インプラントへ歯科用構成要素を連結するための橋脚歯が示してある。この橋脚歯は、歯科用インプラントに連結するためのインプラント接触領域２と、前記インプラント接触領域２の歯冠方向に延びていて、歯科用構成要素を連結するための構成要素支持領域３とを含む。
【００５７】
代表的には、橋脚歯は、インプラントに義歯または歯冠を連結するのに使用する。しかしながら、最終的な義歯を製造する処置の間、橋脚歯は、インプラントに他の構成要素、たとえば、印象コーピング、治癒キャップまたは仮義歯を連結するのに使用することになる。橋脚歯１は、口腔内に恒久的にすえ付ける歯科用構成要素用の適切な材料、たとえば、チタンおよび或る種のセラミック材料（たとえば、酸化ジルコニウム）から作ることができる。
【００５８】
構成要素接触領域３は、最大直径部Ａ（図１ｃ参照）から歯冠方向へ歯冠端６まで延びている。構成要素接触領域の最大直径部Ａは、この場合、全体的に、橋脚歯の最大直径部と一致している。
【００５９】
構成要素係合手段９が、最大直径部Ａの歯冠方向で構成要素支持領域３のところに設けてある。この構成要素係合手段は、前記橋脚歯に関して前記構成要素を１次置換させることによって構成要素と取り外し自在に係合できるように構成され、適合されている。
【００６０】
構成要素係合手段９の、最大直径部Ａの歯冠方向での位置により、橋脚歯が比較的細い直径を有するとろで構成要素の取り付けが行われることになる。これにより、構成要素係合手段９に取り付けることになっている構成要素を比較的小さい外径で構成できるので、有利である。外径が小さいということにより、隣接した歯によって妨げられることなく、または、すえ付け時に橋脚歯１を取り囲んでいる歯肉組織をわきに押しやり、損傷を与えることなく、構成要素を橋脚歯上にすえ付けるのが容易になる。
【００６１】
構成要素係合手段９は、橋脚歯の最大直径部Ａと歯冠端６との間の距離の５０％未満である、前記最大直径部Ａからの距離のところに設けられる。好ましくは、この距離は、３５％未満であり、そして、図１ａ〜１ｅの実施例におけるように、構成要素係合手段９は、橋脚歯の最大直径部Ａと歯冠端６との間の距離の２５％未満の距離のところに設けられる。
【００６２】
インプラント接触領域３は、この第１実施例においては、肩部分４と、この肩部分から歯冠方向へ延びているポスト部分５とからなる。ポスト部分５の外面８は、肩部分の外面７と１８０度未満の角度αをなす（図１ｅ参照）。肩部分４およびポスト部分５の外面７、８のなす角度αは、より好ましくは、１００度〜１６０度であり、好ましくは、１２０〜１５０度であり、最も好ましくは、１３０〜１４０度である。本実施例においては、角度αは、１３６度である。
【００６３】
本実施例において、構成要素係合手段９は、前記肩部分４とポスト部分５との間の移行部に設けてある。この配置は、構成要素係合手段９の機能を損なうことなくポスト部分５の主要部分を修正することを可能にする。構成要素係合手段９は、ポスト部分５の円周の一部に沿って延びている溝の形を有する。この溝は、ポスト部分５の外面と角度δをなす外面８’を有する、ポスト部分５の移行部分５’によって形成されていると言ってもよい。角度δは、好ましくは、１０〜４０度、より好ましくは、１０〜３０度の範囲、最も好ましくは、１２度である。構成要素が前記移行部分５’によって形成されている溝上へスナップ・ロックされ得ると有利である。上述した角度δは、構成要素を橋脚歯１から取り外すことがなお可能でありながら、橋脚歯１上に構成要素をしっかりと保持するための好ましい保持力を有するこのようなスナップ・ロックを形成するのに適している。
【００６４】
肩部分４と関連して、構成要素係合手段９は、好ましくは、肩部分４から橋脚歯の歯冠端６までの距離の５０％未満、好ましくは、３０％未満、本実施例では２０％未満の、肩部分４からの距離のところに設けてある。構成要素係合手段９は、肩部分４と歯冠端６との間の距離の５０％に対応する橋脚歯の歯冠部分を切断した場合に構成要素係合手段９がなお構成要素保持機能を備えているならば、肩部分４からの距離が肩部分４と歯冠端６との間の距離の５０％未満であるところに設けてあると考えてもよい（同じ定義が、構成要素係合手段９の位置が最大直径部Ａに関係している状況に当てはまる）。
【００６５】
ポスト部分５は、さらに、橋脚歯１に取り付けられた構成要素の回転ロックを行うための回転ロック手段１５を備えている。この場合、回転ロック手段１５は、ポスト部分５の外面８の平らな部分からなる。しかしながら、回転ロック手段１５の他の形状も考えられる。構成要素を橋脚歯上にすえ付けたときに滑らかなロックによって遊びを多くすることができるので、比較的滑らかな回転ロック機能の方が、厳格で明確なロック手段よりも好ましいと考えられる。
【００６６】
ポスト部分の根尖端６は、場合により、多角形の盲孔１９を備える。これは、インプラント上へ橋脚歯を螺合するためのスパナ用のアタッチメントとして役立つ。
【００６７】
構成要素支持領域３とインプラント接触領域２との間には、拡張領域１１が設けてある。この拡張領域１１は、すえ付け時に橋脚歯１がインプラント上方に延びる高さを大きくするのに役立つ。骨組織と面一にインプラントにすえ付けたとき、拡張領域１１は、代表的には、歯肉組織を貫いて延びる。
【００６８】
インプラント接触領域２は、歯冠方向接触部分１２とねじ軸１６とからなる。それによって、インプラント接触領域２は、円錐形の歯冠方向開口を有し、橋脚歯１の取り付け用の雌ねじを備えているインプラントに連結できるようになっている。インプラント接触領域２の円錐形形状およびインプラント開口は、それぞれ、インプラントと橋脚歯を螺合したときに円錐形のシールを確立するように適用できるので、特に有利である。
【００６９】
図１ｄにおいて、橋脚歯１の異なる部分の外面が橋脚歯の長手軸線Ｌとなす角度が示してある。
【００７０】
ポスト部分５の外面８は、橋脚歯の歯冠方向に向かってテーパが付いている。これは、ポスト部分５の外面８が長手軸線Ｌに対して平行である場合よりも、橋脚歯１に構成要素を取り付ける初期段階において横動を多くすることができるため、有利であると考えられる。ポスト部分５の外面８が長手軸線Ｌとなす角度φは、好ましくは、２０度未満であり、より好ましくは、１５度未満である。この場合、角度φは６度である。
【００７１】
角度φの上記の値は、ポスト部分５と構成要素との間の保持機能を与えるように構成要素と協働できるポスト部分５を得るのに特に適している。
【００７２】
次に前述したような構成要素係合手段９に戻るならば、この構成要素係合手段９は、外面８’を有するポスト部分５の移行部分５’によって形成される。この外面８’は、ポスト部分５の外面と角度δをなす。角度δは、さらに、長手軸線とポスト部分の外面８との角度φに関連して、２φ±１０度であると有利であると説明できる。角度δについてのこの特別な選択により、橋脚歯に取り付けた構成要素を、本質的に前記構成要素係合手段に構成要素を取り付けるのに必要とされる力と同じ力で１次置換させることによって、前記橋脚歯から解放させることが可能になる。長手軸線Ｌから見て、ポスト部分の移行部５’の外面８’は、φ±１０度であり、一方、ポスト部分５の外面８は、全体的に、前記長手軸線Ｌと角度φをなす。
【００７３】
橋脚歯の外形に対応する少なくともいくつかの内面を有する内形を有する構成要素を使用する場合、橋脚歯へ構成要素を取り付けるのに必要な力は、ポスト部分５の外面８が前記長手軸線Ｌとなす角度φに依存する。橋脚歯から構成要素を取り外すのに必要な力は、前記移行部分５’の外面８’が前記長手軸線Ｌとなす角度に依存する。角度δが２φ±１０度であるとき、この角度はφ±１０度となる。このことは、前記橋脚歯から前記構成要素を取り外すのに必要な力が、前記橋脚歯１に前記構成要素を取り付けるのに必要な力と本質的に同じであることを意味する。
【００７４】
肩部分４の外面７も、同様に、歯冠方向において内向きにテーパが付いている。肩部分４の外面７が長手軸線Ｌとなす角度χは、好ましくは、４０〜６０度の範囲にある。この場合、角度χは５０度である。
【００７５】
肩部分４の外面７とポスト部分５の外面８のなす上記角度αは、（１８０度＋φ−χ）に等しくなる。
【００７６】
拡張領域１１の外面１３は、橋脚歯１の長手軸線に対して平行であってもよいし、橋脚歯１の歯冠方向において外向きにテーパが付いてもよい。拡張領域１１の外面１３が前記長手軸線Ｌとなす角度（Ψ）は、所望の最大直径部Ａを達成するように有利に変化してよい。好ましくは、角度（Ψ）は９０度〜１８０度となる。
【００７７】
最後に、橋脚歯１のインプラント接触領域２の歯冠方向接触部分１２の外面１４とがなす角度ωは、好ましくは、１６５度〜１７０度であり、この場合、１６９度である。
【００７８】
図１ｃを参照して、橋脚歯１の最大直径Ａは、好ましくは、３〜７ｍｍ、最も好ましくは、３〜６ｍｍの範囲にある。ポスト部分５の最大直径Ｂは、２〜５ｍｍの範囲にある。本実施例においては、肩部分４の外面７によって形成される棚が、橋脚歯の前記最大直径Ａと最大直径Ｂとの差の半分に一致する幅を有する。この幅は、好ましくは、０.２〜１ｍｍの範囲にあり、最も好ましくは、０.５ｍｍである。
【００７９】
肩部分４の軸線方向延長部は、構成要素支持領域３全体の軸線方向延長部と比較して、１０〜４０％の範囲、好ましくは、２０％であるとよい。拡張領域１１の軸線方向延長部は、橋脚歯の所望の高さを達成するように有利に選ぶことがきる。通常、拡張領域１１は、構成要素支持領域３の軸線方向延長部の約１０％〜５０％の軸線方向延長部を有する。
【００８０】
場合により、橋脚歯１が、その短縮レベルを示す１つまたはいくつかのマーキング２０を備えていてもよい。
【００８１】
図２ａは、橋脚歯の第２実施例の斜視図である。図２ｂは、図２ａの橋脚歯の断面図である。図１ａ〜１ｅの上述した第１実施例の構成部分に対応する構成部分には、図１ａ〜１ｅで用いた数字と同じ参照数字が付けてある。この第２実施例の、第１実施例と異なる部分のみを以下に説明する。
【００８２】
インプラント接触領域２がねじ軸１６を備えていないという点で、第２実施例は第１実施例と異なる。その代わりに、第２実施例は、インプラントに回転ロックするための六角形ロック構造２１を有する。橋脚歯１は、さらに、内部出張り１８を有する貫通孔１７を備えている。インプラントに橋脚歯１を連結するために、貫通孔１７にねじを挿入し、ねじ頭を出張り１８上に着座させることができる。この種の橋脚歯は、特に、単歯修復状況に役立つ。
【００８３】
図３は、橋脚歯の第３実施例の側面図である。図１ａ〜１ｅの上述した第１実施例の構成部分に対応する構成部分には、図１ａ〜１ｅで用いた数字と同じ参照数字が付けてある。この第３実施例の、第１実施例と異なる部分のみを以下に説明する。
【００８４】
橋脚歯の第３実施例は、主としてポスト部分５の高さおよび形状の点で、第１実施例と異なる。ポスト部分５の高さは、第１実施例と比較して短くなっており、構成要素支持領域３の軸線方向延長部のほぼ７５〜８０％となっている。（これは、肩部分４までの軸線方向延長部の約２０〜２５％を残す）。前記ポスト部分の実際の長さは、約２ｍｍである。ポスト部分５の外面８が長手軸線Ｌとなす角度φは、１１度である。
【００８５】
短いポスト部分５と共に橋脚歯１を使用する有利な点は、橋脚歯１を頻繁に修正する必要がないということにある。その代わりに、義歯をその当初の形状でポスト部分５上につくることができる。
【００８６】
図４は、橋脚歯１の第４実施例の側面図である。図１ａ〜１ｅの上述した第１実施例の構成部分に対応する構成部分には、図１ａ〜１ｅで用いた数字と同じ参照数字が付けてある。第１実施例と異なる部分だけを以下に説明する。
【００８７】
第４の実施例は、拡張領域１１が非常に短くなっており、その外面１３が前記長手軸線Ｌと非常に大きな角度（Ψ）をなすという点で、第１実施例と異なる。
【００８８】
図５ａ〜５ｈは、図１ａ〜４に示すタイプの一連の橋脚歯の実施例を示す。図５ａ〜５ｈについての以下の説明における参照数字は、図１ａ〜４に記載されている構成部分を示している。
【００８９】
図５ａ〜５ｈは、ポスト部分５の外面８と肩部分４の外面７とのなす角度αが、すべての橋脚歯に対して一定である一連の橋脚歯を示している。さらに、構成要素支持領域３の長手方向延長部分は、前記一連の橋脚歯のすべてに対して一定である。
【００９０】
図５ａ〜５ｃのみを参照して、これらの３つの橋脚歯は、さらに、最大直径Ａがすべての橋脚歯に対して一定となっている。同様に、図５ｄ〜５ｆの３つの橋脚歯は、共通の最大直径を有し、そして、図５ｇ〜５ｈの２つの橋脚歯は、共通の最大直径を有する。図５ａ〜５ｃの橋脚歯は、４ｍｍの最大直径を有し、図５ｄ〜５ｆの橋脚歯は、５ｍｍの最大直径を有し、図５ｇ〜５ｈの橋脚歯は、６ｍｍの最大直径を有する。
【００９１】
図５ａ〜５ｈは、インプラントに歯科用構成要素を連結するための一連の橋脚歯１を示しており、各橋脚歯は、長手軸線Ｌを有し、さらに、インプラント接触領域２と、構成要素支持領域３と、それらの間の拡張領域１１とを含む。ここで、
前記拡張領域１１は、前記長手軸線Ｌと角度（Ψ）をなす外面１３を備えており、
前記肩部分４は、歯冠方向において内向きにテーパが付けてあり、前記長手軸線Ｌと角度χをなす外面７を備えており、
前記ポスト部分５は、前記肩部分４から歯冠方向へ延びており、歯冠方向において内向きにテーパが付けてある外面８を備え、この外面８は、肩部分４の外面７と前記長手軸線Ｌとのなす角度χよりも小さい角度φを前記長手軸線Ｌとなしており、ここで、
肩部分４の外面７と長手軸線Ｌとのなす前記角度χおよびポスト部分５の外面８と長手軸線Ｌのなす前記角度φは、一連の橋脚歯のうちすべての橋脚歯に対して一定であり、
それに対して、前記拡張領域１１の外面１３と前記長手軸線Ｌとのなす角度（Ψ）は、前記一連の橋脚歯のうち異なった橋脚歯間で異なる。
【００９２】
図６ａは、橋脚歯レプリカ１０１の実施例の斜視図であり、図６ｂは、同じ橋脚歯レプリカ１０１の側面図である。
【００９３】
橋脚歯レプリカ１０１は、構成要素支持領域１０３、拡張領域１１１および根尖方向領域１０２を含む。構成要素支持領域１０３は、橋脚歯１の構成要素支持領域を模写しており、この場合、橋脚歯１は図１ａ〜１ｅに示したタイプである。したがって、構成要素支持領域１０３は、外面１０７を有する肩部分１０４、および、外面１０８を有するポスト部分１０５を有する。
【００９４】
特に、橋脚歯レプリカ１０１は、橋脚歯１の構成要素係合手段９を模写した構成要素係合手段１０９を備える。
【００９５】
また、橋脚歯レプリカ１０１は、根尖方向部分１０２の根尖端から前記構成要素係合手段１０９の歯冠方向の位置まで延びているボア１３０を備えている。本実施例においては、ボア１３０は盲孔であるが、レプリカ１０１を完全に貫いて延びるボアを有することも考えられる。
【００９６】
ボア１３０は、図１１ａ〜１１ｈに関連して以下により詳しく説明するように、橋脚歯レプリカ１０１を、修正した標準橋脚歯模型製作のために使用しなければならない状況では役立つようになる。
【００９７】
このような状況においては、橋脚歯レプリカ１０１のポスト部分１０５の歯冠方向部分を切り取り、貫通孔１３０を有する橋脚歯レプリカ１０１を残す。貫通孔１３０は、修正橋脚歯の模型を作るためにレプリカ１０１の根尖端から成形材料を注入するのに使用できる。
【００９８】
したがって、標準の橋脚歯を使用するか修正橋脚歯を使用するかに関係なく、橋脚歯レプリカ１０１は、ピックアップ印象採得に役立つ。
【００９９】
図１ａ〜１ｅの橋脚歯１のマーキング２０および橋脚歯レプリカ１０１上のマーキング１２０の使用について以下に説明する。好ましくは、歯冠方向橋脚歯端６を有する橋脚歯１および歯冠方向レプリカ端１０６を有する対応したレプリカ１０１からなるセットを用意し、前記橋脚歯１が、歯冠方向橋脚歯端６から第１の距離のところに橋脚歯１の場合による短縮のためのマーキングを備えており、ここで、前記レプリカ１０１は、前記第１の距離と等しいかまたは僅かに短い歯冠方向レプリカ端１０６からの第２の距離のところにマーキングを備える。
【０１００】
このようなセットは、橋脚歯の他の変形例に対する代替となる。橋脚歯１の短縮のみが望ましい場合には、歯科技工士は、マーキング２０のところで橋脚歯１を短くすることができる。レプリカ１０１は、橋脚歯１のマーキングとほぼ同じ高さのところに対応するマーキング１２０を備える。したがって、短縮するときには、歯科技工士は、橋脚歯１の修正した形状を取り込むための特別の印象技術を使用する必要はなく、その代わりに、橋脚歯１の位置を取り込むためだけの標準の技術を使用すればよい。作業模型を作るとき、レプリカ１０１は、橋脚歯１と同じ程度まで短縮され、口腔内の状況を忠実に模写することになる。
【０１０１】
マーキングのところで正確に橋脚歯１およびレプリカ１０１を切断するのは難しいので、レプリカ１０１のマーキングは、橋脚歯１上の対応する距離よりも僅かに短い、レプリカ端１０６からの距離のところに設けるとよい。これにより、構成要素の切断時に歯科技工士にとって余裕は少なくなるが、橋脚歯レプリカ１０１が橋脚歯１より短くなってしまうという危険はなくなる。
【０１０２】
レプリカ１０１および橋脚歯１は、各々、いくつかのマーキングを備えていてもよい。
【０１０３】
図７ａおよび７ｂは、歯科用インプラントに取り付けた橋脚歯のピックアップ印象採得のための印象コーピングの実施例の斜視図である。図７ｃは、同じ印象コーピングの底面図であり、図７ｄは、図７ａの平面ｄ−ｄから見た断面図であり、図７ｅは、図７ａの平面ｅ−ｅから見た断面図であり、図７ｆは、図７ａの平面ｆ−ｆから見た断面図である。
【０１０４】
図７ａ〜７ｆに示す印象コーピングは、橋脚歯１上に着座するための橋脚歯取り囲み領域２０３を含む。この橋脚歯取り囲み領域２０３は、歯冠端２０６および根尖端２４０を有し、内壁面２０７、２０８を備える。
【０１０５】
本実施例においては、橋脚歯取り囲み領域２０３は、内壁面２０７を有する肩部接触部分２０４および内壁面２０８を有するポスト取り囲み部分２０５を含む。肩部接触部分２０４は、対応する橋脚歯の肩部分に着座させることを意図しており、一方、ポスト取り囲み部分２０５は、前記橋脚歯のポスト部分を取り囲むことになる。
【０１０６】
ちょうどポスト取り囲み部分２０５と肩部接触部分２０４との間の移行部のところで、ポスト取り囲み部分２０５の内壁面２０８上には、前記橋脚歯に関して前記印象コーピングを１次置換させることによって橋脚歯と取り外し自在に係合させることができる橋脚歯係合手段２０９が設けてある。
【０１０７】
この橋脚歯係合手段２０９は、歯冠端２０６よりも橋脚歯接触部分２０３の根尖端２４０近くに設けてある。前記根尖端２４０と橋脚歯係合手段２０９との距離は、好ましくは、根尖端２４０と橋脚歯取り囲み領域２０３の歯冠端２０６の距離の５０％未満、より好ましくは、３５％未満、最も好ましくは、２５％未満である。
【０１０８】
肩部接触部分２０４に関連して、この肩部接触部分２０４と橋脚歯係合手段２０９との距離は、好ましくは、肩部接触部分２０４と橋脚歯取り囲み領域２０３の歯冠端２０６との距離の５０％未満、より好ましくは、３０％未満、最も好ましくは、２０％未満である。
【０１０９】
本実施例において、橋脚歯係合手段１０９は、ポスト取り囲み部分２０５の内壁面２０８の内周の一部に沿って延びているリブを含む。このリブは、ポスト部分２０５の内壁面２０８上に延在する回転ロック２１５として機能する平らな表面のために中断している。リブは、さらに、スペース形成面２４４を設けたところで中断しており、この面２４４についてはさらに以下に説明する。
【０１１０】
リブは、橋脚歯１上の係合手段９の対応する溝と協働するとき、スナップ・ロック手段として機能し、橋脚歯１上で軸方向に印象コーピング２０１を取り外し自在にロックする。
【０１１１】
ポスト接触領域２０５の内壁面２０８は、異なる目的を有する表面領域を含む。第１の表面領域は、着座時に橋脚歯１と接触する橋脚歯接触面２４３である。第２の表面領域は、スペース形成面２４４であり、これは、着座時に、橋脚歯１から隔たって位置し、橋脚歯１とスペース形成面２４４との間にオープンスペースを形成する。
【０１１２】
橋脚歯接触面２４３は、橋脚歯１上に着座したときに、印象コーピング２０１を安定させると共に、印象コーピング２０１を確実に正しい位置に合わせるのに役立つ。
【０１１３】
スペース形成面２４４は、橋脚歯１と印象コーピング２０１の内壁面２０８との間にオープンスペース設けるのに役立つ。このことは、図１１ａ〜１１ｈに関連して以下に説明するように、修正した標準の橋脚歯の印象を採取するときに特に役立つ。
【０１１４】
橋脚歯取り囲み領域２０３の横断面において、印象コーピング２０１の長手軸線Ｌから橋脚歯接触面２４３までの距離ｒ１は、前記長手軸線Ｌからスペース形成面２４４までの距離ｒ２より短くなっている。この差異は、橋脚歯１が、通常、長手軸線まわりに対称的、またはほぼ対称的であるために可能となる。印象コーピング２０１の内面が非対称的であるということは、一般的に、印象コーピング２０１を橋脚歯１に取り付けたときに、印象コーピング２０１内面と橋脚歯１との間にスペースが設けられることになることを意味する。
【０１１５】
換言すれば、スペース形成面２４４は、対応する橋脚歯の外側輪郭から外れている表面であり、一方、橋脚歯接触面２４３は、前記外側輪郭をたどる表面である。
【０１１６】
好ましくは、前記スペース形成面２４４は、印象コーピング２０１が橋脚歯に着座したとき、スペース形成面２４４と対応する橋脚歯との間に形成された前記スペースからの空気が通過する通気孔２４５を備えているとよい。印象材を前記スペースの少なくとも一部に導入したとき、空気は、通気孔２４５を通って前記スペースから流出できる。それによって、気泡の発生が避けられ、印象コーピングの適切な充填が確保される。
【０１１７】
図７ａ〜７ｆの実施例において、通気孔２４５は、前記印象コーピングの壁に設けた開口である。この通気孔は、また、たとえば、パーホレーションによっても得られる。
【０１１８】
スペース形成面２４４がポスト取り囲み部分の内壁面２０８に沿って長手方向に延びていると有利である。このようにして、空気、時には印象材が通過して流れるダクトを形成してもよい。通気孔２４５をこのようなダクトの根尖端に設けてもよい。この位置は、印象材を印象コーピング２０１の歯冠端から満たす場合に空気を確実に引き出すのに最も有利な位置である。また、通気孔２４５は、スペース形成面上に分散して設けてもよい。
【０１１９】
「スペース形成面」２４４および「橋脚歯接触面」２４３という用語は、印象コーピング２０１が未修正の橋脚歯上に着座したときに関連する言い回しである。しかしながら、修正橋脚歯の印象を採取するときには、おそらく橋脚歯接触面２４３のすべてが修正橋脚歯と接触することはない。橋脚歯接触面２４３の少なくとも一部は、おそらく、その修正形状の故に、特注製作した橋脚歯と接触することはない。この場合、橋脚歯と印象コーピング２０１の内壁面との間に複合スペースが形成される。この複合スペースは、橋脚歯接触面２４３と修正橋脚歯との間のスペースと、前記スペース形成面２４４と前記修正橋脚歯との間のスペースとによって構成される。印象材は、印象コーピング２０１内へ、そして、前記印象コーピング２０１と修正橋脚歯との間に形成された複合スペース内へ導入できる。したがって、橋脚歯から取り出すとき、印象材は、印象コーピングと共に、修正橋脚歯の形状に一致する内側「修正」形状を有する空のスペースを形成することになり、次いで、この内側形状を用いて前記修正橋脚歯の模型を成形する。
【０１２０】
印象材を前記複合スペースに導入するとき、空気は、前記スペース形成面２４４と前記橋脚歯との間に形成されたスペースを通り、通気孔２４５を通って流出できる。それによって、気泡の発生が避けられ、印象コーピングの適切な充填が確保される。したがって、スペース形成面２４４は、前記複合スペースから空気を排出させるためのエアダクトとなる。
【０１２１】
当然別法として、橋脚歯接触面のすべてがなお修正橋脚歯と接触するように橋脚歯を修正してもよく、その場合、複合スペースはスペース形成面だけに関係する。
【０１２２】
橋脚歯接触面２４３は、歯冠方向において内向きにテーパが付けてあり、長手軸線と、好ましくは、２０度未満、より好ましくは、１５未満の角をなす。この場合、この角度は、６度である。さらに、橋脚歯接触面は、肩部接触部分２０４とも角をなし、この角度は、１８０度より大きく、好ましくは２２０〜２３０度である。
【０１２３】
印象コーピング２０１は、さらに、橋脚歯取り囲み領域２０３の歯冠方向に設けられている拡張領域２４１を備えている。この拡張領域２４１は、印象材を印象コーピング２０１に取り付けるためのより大きい領域を与えるのに役立つ。さらに、この拡張領域２４１は、印象コーピング２０１の取扱いを容易にする。印象材をより良好に保持するために、拡張領域２４１は、側方に延びる保持要素２４２を備えている。
【０１２４】
印象コーピングは、好ましくは、プラスチック材料で作るとよい。このようなプラスチック材料は、スナップ・ロック手段を形成するのに充分な弾力性を得ることができるが、印象採得中に橋脚歯の安定した位置転写を妨げないように容易に変形しないものを選ぶことができる。
【０１２５】
図８ａ、８ｂにおいて、橋脚歯１を、骨組織５００に移植した歯科用インプラント４０１に取り付けた状態で示してある。印象コーピング２０１が、橋脚歯１に連結している。図８ａおよび図８ｂは共に断面図であるが、図８ｂは、図８ａの平面ｂ−ｂを通る断面である。
【０１２６】
橋脚歯１は、図１ａ〜１ｅに示したタイプのものであり、印象コーピング２０１は、図７ａ〜７ｆに示したタイプのものである。橋脚歯１および印象コーピング２０１の説明において使用した参照数字は、以下でも使用するが、これらの参照数字は、スペースが無いために図８ａおよび８ｂでは記載していない。
【０１２７】
橋脚歯１は、そのインプラント接触領域２を介して歯科用インプラント４０１に連結される。ねじ軸１６が、インプラントの歯冠方向ボアの雌ねじに螺合される。インプラント接触領域２の歯冠方向接触部分１２は、インプラント４０１の前記歯冠方向ボアの円錐形部分とシール接触している。
【０１２８】
橋脚歯の拡張領域１１は、歯肉組織５０１を貫いてインプラント歯冠端から突出する。橋脚歯の外径は、拡張領域１１の歯冠端で、インプラント接触領域２から最大直径部Ａまで増大している。
【０１２９】
肩部分４およびポスト部分５を有する構成要素支持領域３が、歯肉組織５０１上方に突出する。構成要素係合手段９が、肩部分４とポスト部分５との間の移行部に、したがって、橋脚歯１および肩部分４の両方の最大直径部Ａの歯冠方向に設けてある。
【０１３０】
印象コーピング２０１は、それ自体の橋脚歯係合手段２０９によって橋脚歯１の構成要素係合手段９に取り外し自在にロックされる。図８ａ、８ｂでわかるように、印象コーピング２０１の最大直径部は、橋脚歯１の最大直径部Ａとほぼ同じ大きさである。したがって、印象コーピング２０１は、橋脚歯を取り囲んでいる歯肉組織に損害を与える危険なしに橋脚歯１に容易に連結可能である。このことは、また、歯肉組織がいくぶん厚く、さらに橋脚歯上で歯冠方向へ延びている場合にも当てはまる。
【０１３１】
図８ａにおいて、印象コーピング２０１のスペース形成面２４４が橋脚歯１から隔たっていることがわかる。こうして得られるスペースは、印象コーピング２０１の貫通路２１７の歯冠端から、橋脚歯の脇に沿って、通気孔２４５まで延びるダクトを形成する。図８ｂにおいて、橋脚歯接触面２４３が、橋脚歯１と接触しており、前記印象コーピング２０１のための支持と案内を行うことがわかる。
【０１３２】
図９ａ〜９ｂは、図１ａ〜１ｅに示すように橋脚歯に連結できる他の構成要素の斜視図である。構成要素は、橋脚歯キャリア３０１である。これは、根尖方向橋脚歯接触部分と、構成要素の把持を容易にするリブ付きの外面を有する歯冠方向延長部分部分とを有する。橋脚歯キャリア３０１は、橋脚歯の取り扱い、および移植された治具への橋脚歯の取り付けを容易にするように橋脚歯に取り付けることができる。
【０１３３】
図１０ａ〜１０ｂは、標準の橋脚歯１を使用するときのピックアップ印象採得および模型形成を示している。
【０１３４】
図１０ａにおいて、２つの歯科用インプラント４０１が、隣り合った歯の間の移植部位で骨組織５００と面一に移植された状態で示してある。
【０１３５】
図１０ｂにおいて、橋脚歯キャリア３０１を使用して橋脚歯１をインプラント４０１の各々に螺合させる方法が示してある。橋脚歯１は、移植部位に持ってゆく前にキャリア３０１に取り付ける。歯科医は、最初に、橋脚歯１をインプラント４０１に螺合させてキャリア３０１を保持する。その後、キャリア３０１を取り出し、場合により、橋脚歯１を、スパナを使用してインプラント４０１にさらに締め付けてもよい。
【０１３６】
図１０ｃにおいて、橋脚歯１の構成要素係合手段９および印象コーピング２０１の橋脚歯係合手段２０９を使用して印象コーピング２０１を橋脚歯１上へ取り付ける方法が示してある。場合により、印象材を印象コーピング２０１内へ導入してもよい。しかしながら、標準の橋脚歯１を使用するので、これは必要ない。
【０１３７】
図１０ｄにおいて、印象材６００を使用しており、印象コーピング２０１を印象材６００に埋め込んでいる。印象材６００は、印象部位に隣接した歯の形状を模写するように硬化させ、印象コーピング２０１に取り付ける。
【０１３８】
図１０ｅにおいて、印象材６００が移植部位から取り出されており、印象コーピング２０１が印象材６００に埋め込まれている。
【０１３９】
図１０ｆにおいて、標準の橋脚歯レプリカ１０１を、印象材に取り付けた印象コーピング２０１内に導入する方法が示してある。橋脚歯レプリカ１０１および印象コーピング２０１上のそれぞれの係合手段および回転ロック手段により、橋脚歯レプリカ１０１は、印象コーピング２０１内の橋脚歯１の初期位置に対応する位置で印象コーピング２０１内に設置される。
【０１４０】
図１０ｇにおいて、型材料７００が印象材６００に用いられている。
【０１４１】
最後に、図１０ｈにおいて、印象材６００および印象コーピング２０１が取り出されている。こうして、型材料７００が、隣り合った歯および実際の移植部位で橋脚歯１に対応する橋脚歯レプリカ１０１を有する移植部位の模型を形成する。この模型を用いることによって、後に、すえ付け部位で適切な橋脚歯１にすえ付けるために、適切な義歯または歯冠を製造し、調節できる。
【０１４２】
図１１ａ〜１１ｈは、修正橋脚歯１を使用するときのピックアップ印象採得および模型形成を示している。
【０１４３】
図１１ａにおいて、２つの歯科用インプラント４０１が、隣り合った歯の間の移植部位で骨組織５００と面一に移植された状態で示してある。
【０１４４】
図１１ｂにおいて、橋脚歯キャリア３０１を使用して橋脚歯１をインプラント４０１に螺合する方法が示してある。橋脚歯１は、移植部位に持っていく前にキャリア３０１に取り付ける。歯科医は、最初に、橋脚歯１をインプラント４０１に螺合させてキャリア３０１を保持する。その後、キャリア３０１を取り出し、場合により、橋脚歯１を、スパナを使用してインプラント４０１にさらに締め付けてもよい。
【０１４５】
その後、たとえば、橋脚歯１の歯冠方向部分の一部を取り除くことによって、標準の橋脚歯１を図のように修正する。残りの部分が、修正橋脚歯１’である。
【０１４６】
図１１ｃにおいて、それぞれ、修正橋脚歯１’の構成要素係合手段および印象コーピング２０１の橋脚歯係合手段を使用して、印象コーピング２０１を修正橋脚歯１’に取り付ける方法が示してある。橋脚歯１’が修正してあるので、印象コーピング２０１に印象材６００’を導入する必要がある。印象材６００’は、コーピングの貫通路の歯冠端を通して導入すると有利である。印象材６００’を貫通路の歯冠端を通して導入したとき、空気は、印象コーピング２０１のスペース形成面２４４によって形成されたスペースを通り、通気孔２４５から流出できる。それによって、気泡形成または印象コーピング２０１の不充分な充填を避けることができる。適切に導入したならば、印象材６００’は、印象コーピング２０１の橋脚歯接触面２４３の一部と共に、修正橋脚歯１’の形状に対応するオープンスペースを形成することになる。
【０１４７】
図１１ｄにおいて、印象材６００を用いて印象コーピング２０１を埋め込んでいる。印象材６００は、印象部位に隣接した歯の形状を模写するように硬化させ、印象コーピング２０１に取り付ける。
【０１４８】
図１１ｅにおいて、印象コーピング２０１と共に印象材６００を移植部位から取り出している。
【０１４９】
図１１ｆにおいて、レプリカ１０１’の残りの部分を貫通するボアを形成するように、歯冠方向部分を標準の橋脚歯レプリカ１０１から切り取る方法が示してある。残りの部分は、切り取りレプリカ１０１’と呼ぶ。切り取りレプリカ１０１’は、構成要素係合手段１０９を使用して印象材に埋め込んだ印象コーピング２０１に導入される。その後、型材料７００’を、印象コーピング２０１’、および印象コーピング２０１の橋脚歯接触面２４３の一部内で印象材６００’によって形成されたオープンスペース内へ、切り取りレプリカ１０１’のボアを通して満たす。
【０１５０】
図１１ｇにおいて、さらに別の型材料７００が印象材６００に適用されている。
【０１５１】
最後に、図１１ｈにおいて、印象材６００および印象コーピング２０１を取り出す。こうして、型材料７００が、隣接した歯を有する移植部位の模型を形成する。切り取りレプリカ１０１’を通して充填した型材料７００’は、当初の修正橋脚歯１’の上部を模写する。しかしながら、切り取りレプリカ１０１’の肩部分は、移植部位での当初の橋脚歯１の肩部分と一致する。
この模型を用いることによって、後に、すえ付け部位で適切な橋脚歯１にすえ付けるために、適切な義歯または歯冠を製造し、調節できる。
【０１５２】
同じ橋脚歯、印象コーピングおよび橋脚歯レプリカを標準の、および修正した処置の両方について使用できる方法に留意されたい。
【０１５３】
他の代替例および実施例も、同封の特許請求の範囲内にあると考えることができる。たとえば、１つより多くの構成要素係合手段を橋脚歯上に配置してもよい。その場合、おそらく、第２の構成要素係合部手段を、第１の構成要素係合部手段の歯冠方向に設けることになるが、橋脚歯を修正するとき、この第２の構成要素係合手段を壊してもよい。これは、なお、機能的な代替案であり、前記第１の構成要素係合手段を設けることで、必要な構成要素連結機能を与えることになる。同じことが、印象キャップの橋脚歯係合手段にも当てはまる。
【０１５４】
また、ここに記載した構成要素は、２つまたはそれ以上の相互に連結した部分からなっているかもしれない。しかしながら、本明細書に説明した一体的な実施例が好ましい。
【０１５５】
係合手段および回転ロック手段の構造もまた、たとえば印象コーピングの外形、橋脚歯のインプラントへの連結または橋脚歯レプリカの根尖方向部分のように、変えることができる。
【０１５６】
したがってここに説明した発明は、多くの方法で変更できることは明らかである。このような変形例は、本発明の精神および範囲から逸脱しないと考えられるべきであり、当業者にとって明白なこれらの変形例すべてを添付の特許請求の範囲内に含むことが意図されている。
【図面の簡単な説明】
【０１５７】
【図１ａ】橋脚歯の第１実施例を示す。
【図１ｂ】橋脚歯の第１実施例を示す。
【図１ｃ】橋脚歯の第１実施例を示す。
【図１ｄ】橋脚歯の第１実施例を示す。
【図１ｅ】橋脚歯の第１実施例を示す。
【図２ａ】橋脚歯の第２実施例を示す。
【図２ｂ】橋脚歯の第２実施例を示す。
【図３】橋脚歯の第３実施例を示す。
【図４】橋脚歯の第４実施例を示す。
【図５ａ】一連の橋脚歯の実施例を示す。
【図５ｂ】一連の橋脚歯の実施例を示す。
【図５ｃ】一連の橋脚歯の実施例を示す。
【図５ｄ】一連の橋脚歯の実施例を示す。
【図５ｅ】一連の橋脚歯の実施例を示す。
【図５ｆ】一連の橋脚歯の実施例を示す。
【図５ｇ】一連の橋脚歯の実施例を示す。
【図５ｈ】一連の橋脚歯の実施例を示す。
【図６ａ】橋脚歯レプリカの実施例を示す。
【図６ｂ】橋脚歯レプリカの実施例を示す。
【図７ａ】印象コーピングの実施例を示す。
【図７ｂ】印象コーピングの実施例を示す。
【図７ｃ】印象コーピングの実施例を示す。
【図７ｄ】印象コーピングの実施例を示す。
【図７ｅ】印象コーピングの実施例を示す。
【図７ｆ】印象コーピングの実施例を示す。
【図８ａ】歯科用インプラントに取り付けた橋脚歯の実施例を示すと共に、前記橋脚歯に取り付けた印象コーピングの実施例を示す。
【図８ｂ】歯科用インプラントに取り付けた橋脚歯の実施例を示すと共に、前記橋脚歯に取り付けた印象コーピングの実施例を示す。
【図９ａ】橋脚歯キャリアの実施例を示す。
【図９ｂ】橋脚歯キャリアの実施例を示す。
【図１０ａ】標準の橋脚歯のピックアップ印象採得方法を示す。
【図１０ｂ】標準の橋脚歯のピックアップ印象採得方法を示す。
【図１０ｃ】標準の橋脚歯のピックアップ印象採得方法を示す。
【図１０ｄ】標準の橋脚歯のピックアップ印象採得方法を示す。
【図１０ｅ】標準の橋脚歯のピックアップ印象採得方法を示す。
【図１０ｆ】標準の橋脚歯のピックアップ印象採得方法を示す。
【図１０ｇ】標準の橋脚歯のピックアップ印象採得方法を示す。
【図１０ｈ】標準の橋脚歯のピックアップ印象採得方法を示す。
【図１１ａ】修正した標準の橋脚歯のピックアップ印象採得方法を示す。
【図１１ｂ】修正した標準の橋脚歯のピックアップ印象採得方法を示す。
【図１１ｃ】修正した標準の橋脚歯のピックアップ印象採得方法を示す。
【図１１ｄ】修正した標準の橋脚歯のピックアップ印象採得方法を示す。
【図１１ｅ】修正した標準の橋脚歯のピックアップ印象採得方法を示す。
【図１１ｆ】修正した標準の橋脚歯のピックアップ印象採得方法を示す。
【図１１ｇ】修正した標準の橋脚歯のピックアップ印象採得方法を示す。
【図１１ｈ】修正した標準の橋脚歯のピックアップ印象採得方法を示す。
【国際公開パンフレット】
2005507283.tif 000003
2005507283.tif 000004
2005507283.tif 000005
2005507283.tif 000006
2005507283.tif 000007
2005507283.tif 000008
2005507283.tif 000009
2005507283.tif 000010
2005507283.tif 000011
2005507283.tif 000012
2005507283.tif 000013
2005507283.tif 000014
2005507283.tif 000015
2005507283.tif 000016
2005507283.tif 000017
2005507283.tif 000018
2005507283.tif 000019
2005507283.tif 000020
2005507283.tif 000021
2005507283.tif 000022
2005507283.tif 000023
2005507283.tif 000024
2005507283.tif 000025
2005507283.tif 000026
2005507283.tif 000027
2005507283.tif 000028
2005507283.tif 000029
2005507283.tif 000030
2005507283.tif 000031
2005507283.tif 000032
2005507283.tif 000033
2005507283.tif 000034
2005507283.tif 000035
2005507283.tif 000036
2005507283.tif 000037
2005507283.tif 000038
2005507283.tif 000039
2005507283.tif 000040
2005507283.tif 000041
2005507283.tif 000042
2005507283.tif 000043
2005507283.tif 000044
2005507283.tif 000045
2005507283.tif 000046
2005507283.tif 000047
2005507283.tif 000048
2005507283.tif 000049
2005507283.tif 000050
2005507283.tif 000051
2005507283.tif 000052
2005507283.tif 000053
2005507283.tif 000054
2005507283.tif 000055
【国際調査報告】
2005507283.tif 000056
2005507283.tif 000057